(57)【要約】【課題】タッチボタン構造の提供。【解決手段】一つ以上の上下に揺動する作用板、プッシュスイッチ、タッチボードを含む。該作用板の一端には回転軸機構を設置し、ケースと連結固定し、その間の部分は延伸区で、反対端の揺動可能な部分にはボタン区を設置する。該プッシュスイッチはインプット作動の制御スイッチで、該作用板の下方に設置し、該タッチボードは該作用板のボタン区の上方に設置する。該延伸区の延伸部分により、該ボタン区の任意の区域をプッシュすると、より近接したプッシュ圧力を得ることができ、こうして該ボタン区は安定的に上下揺動し、該タッチボードの位置探知能力により、異なる位置を押されると異なる出力信号を発する。【選択図】図２
2009020857.tif 000002
【特許請求の範囲】
【請求項１】
一つ以上の上下に揺動する作用板、プッシュスイッチ、タッチボードを含み、
該作用板の一端には回転軸機構を設置し、ケースと連結固定し、その間の部分は延伸区で、反対端の揺動可能な部分にはボタン区を設置し、
該プッシュスイッチはインプット作動の制御スイッチで、該作用板の下方に設置し、
該タッチボードは該作用板のボタン区の上方に設置し、
該延伸区の延伸部分により、該ボタン区の任意の区域をプッシュすると、より近接したプッシュ圧力を得ることができ、こうして該ボタン区は安定的に上下揺動し、該タッチボードの位置探知能力により、異なる位置を押されると異なる出力信号を発することを特徴とするタッチボタン構造。
【請求項２】
前記延伸区の長さは該ボタン区の長さの０．５倍以上であることを特徴とする請求項１記載のタッチボタン構造。
【請求項３】
前記延伸区中央に貫通した収容設置空間を備え、該収容設置空間により回路部品を設置することを特徴とする請求項１記載のタッチボタン構造。
【請求項４】
前記収容設置空間にはディスプレーを設置することを特徴とする請求項３記載のタッチボタン構造。
【請求項５】
前記延伸区は金属材質で構成することを特徴とする請求項１記載のタッチボタン構造。
【請求項６】
前記延伸区は該ケース内部に収蔵されることを特徴とする請求項１記載のタッチボタン構造。
【請求項７】
前記タッチボードはタッチスクリーンであることを特徴とする請求項１記載のタッチボタン構造。
【請求項８】
前記タッチボタン構造はさらに２個のタッチボタン構造を交差設置し、そのボタン区を追加し、該タッチボタン構造の延伸区の交差位置は湾折し、こうして該２個の延伸区が相互に接触し阻害し合うことを防止することを特徴とする請求項１記載のタッチボタン構造。
【発明の詳細な説明】
【技術分野】
【０００１】
本発明はタッチボタン構造に関する。特にプッシュ圧力を平均化することができるタッチボタン構造で、これによりボタンプッシュの正確性を高めることができるタッチボタン構造に係る。
【背景技術】
【０００２】
半導体の進歩に従い、電子装置の機能は格段に増加し、さらに携帯電話端末と音楽プレーヤーの統合、携帯電話端末とカメラの統合など多くの製品が統合されている。そして機能が増えれば操作も複雑になり、一般的な公知のボタンは既にこのような操作には間に合わなくなっているため、タッチパネル式ボタンが徐々に電子製品操作の主流になりつつある。伝統的なボタンでは、機能が多くなれば多くのボタンにより対応しなければならないが、タッチパネル式ボタンはそれとは異なり機能変化が容易という特性を備える。
【０００３】
しかし、タッチボタンにも先天的な欠点が存在する。それはプッシュ時に伝統的なボタンとは違い手応えがなく、使用者は自分のプッシュが有効であるかどうかを明確に理解することができない点である。さらにタッチボタンは軽く触れただけで直ちに反応するため、誤接触が発生し易い。加えて、タッチボタンはリアルボタンとは異なり、タッチパネル上の２個以上のボタンが近過ぎるなら、誤接触現象が起き易い。
【発明の開示】
【発明が解決しようとする課題】
【０００４】
タッチボタンは１個のボタンが多くのボタンの役割を果たすことができ、タッチボードを数個のブロックに分割し、プッシュされるとボタン全体が同時に上下揺動し、指が異なる位置を押すと、様々な意味を持つ信号を出力するものである。しかし、ボタン面積が大きいため、ボタンのどの点を押されてもすべて同じような感覚を備えさせ、しかもボタンを安定的に揺動させるかは、発明が解決しようとする課題である。もし水平回転軸をボタン構造の一端に使用すれば、ボタンは上下揺動するが、回転軸に近い一端が受けるプッシュ圧力は強くなり、回転軸から離れた反対端のプッシュ圧力は弱くなる一方、プッシュ行程は長くなってしまう。本発明人は上記問題に鑑み、ボタン全体のすべてのプッシュ点の圧力とプッシュ行程をできるだけ近付けるため、ボタン区と回転軸の間に延伸区を設置する。該延伸区の主要機能は、ボタン区全体と回転軸の距離を延長することで、ボタン区全体が比較的一致したプッシュ圧力と行程を得ることができるようになり、上記問題を解決することができる。
【０００５】
上記課題を解決するため、本発明は下記のタッチボタン構造を提供する。本発明はプッシュ圧力を平均化することができるタッチボタン構造を提供し、これによりボタンプッシュの正確性を高めることができ、一つ以上の上下に揺動する作用板、プッシュスイッチ、タッチボードを含み、該作用板の一端には回転軸機構を設置し、ケースと連結固定し、その間の部分は延伸区で、反対端の揺動可能な部分にはボタン区を設置し、該プッシュスイッチはインプット作動の制御スイッチで、該作用板の下方に設置し、該タッチボードは該作用板のボタン区の上方に設置し、該延伸区の延伸部分により、該ボタン区の任意の区域をプッシュすると、より近接したプッシュ圧力を得ることができ、こうして該ボタン区は安定的に上下揺動し、該タッチボードの位置探知能力により、異なる位置を押されると異なる出力信号を発し、本発明のタッチボタン構造の該延伸区該延伸区の長さは該ボタン区の長さの０．５倍以上で、本発明のタッチボタン構造の該延伸区中央に貫通した収容設置空間を備え、該収容設置空間によりディスプレー或いは回路などの部品を設置し、本発明のタッチボタン構造の延伸区は金属材質で構成し、その強度を増し、本発明のタッチボタン構造の延伸区は該ケース内部に収蔵され、該ボタン区は該ケース外部に露出する。
【課題を解決するための手段】
【０００６】
請求項１の発明は、一つ以上の上下に揺動する作用板、プッシュスイッチ、タッチボードを含み、
該作用板の一端には回転軸機構を設置し、ケースと連結固定し、その間の部分は延伸区で、反対端の揺動可能な部分にはボタン区を設置し、
該プッシュスイッチはインプット作動の制御スイッチで、該作用板の下方に設置し、
該タッチボードは該作用板のボタン区の上方に設置し、
該延伸区の延伸部分により、該ボタン区の任意の区域をプッシュすると、より近接したプッシュ圧力を得ることができ、こうして該ボタン区は安定的に上下揺動し、該タッチボードの位置探知能力により、異なる位置を押されると異なる出力信号を発することを特徴とするタッチボタン構造としている。
請求項２の発明は、前記延伸区の長さは該ボタン区の長さの０．５倍以上であることを特徴とする請求項１記載のタッチボタン構造としている。
請求項３の発明は、前記延伸区中央に貫通した収容設置空間を備え、該収容設置空間により回路部品を設置することを特徴とする請求項１記載のタッチボタン構造としている。
請求項４の発明は、前記収容設置空間にはディスプレーを設置することを特徴とする請求項３記載のタッチボタン構造としている。
請求項５の発明は、前記延伸区は金属材質で構成することを特徴とする請求項１記載のタッチボタン構造としている。
請求項６の発明は、前記延伸区は該ケース内部に収蔵されることを特徴とする請求項１記載のタッチボタン構造としている。
請求項７の発明は、前記タッチボードはタッチスクリーンであることを特徴とする請求項１記載のタッチボタン構造としている。
請求項８の発明は、前記タッチボタン構造はさらに２個のタッチボタン構造を交差設置し、そのボタン区を追加し、該タッチボタン構造の延伸区の交差位置は湾折し、こうして該２個の延伸区が相互に接触し阻害し合うことを防止することを特徴とする請求項１記載のタッチボタン構造としている。
【発明の効果】
【０００７】
上記のように、本発明は使用者にタッチボタン構造を提供する時、明確なプッシュの手応えを備え、これによりプッシュが不確定などの問題を避けることができる。さらにボタンを押す時に均一なプッシュ圧力を備えるため、ボタンプッシュの正確性を向上させることができる。よって、本発明は新規な実用性と進歩的な利益を備え、公知構造の欠点を効果的に改善することができる。
【発明を実施するための最良の形態】
【０００８】
図１、図２に示すように、本発明のタッチボタン構造は一つ以上の上下に揺動する作用板１、プッシュスイッチ２、タッチボード３を含む。該作用板１の一端には回転軸機構１１を設置し、ケース４と連結固定する。その間の部分は延伸区１２で、反対端の揺動可能な部分にはボタン区１３を設置する。該プッシュスイッチ２はインプット作動の制御スイッチで、該作用板１の下方に設置する。該タッチボード３は該作用板１のボタン区１３の上方に設置する。該延伸区１２の延伸部分により、該ボタン区１３の任意の区域をプッシュすると、より近接したプッシュ圧力を得ることができる。こうして該ボタン区１３は安定的に上下揺動し、該タッチボード３の位置探知能力により、異なる位置を押されると異なる出力信号を発する。
【０００９】
本発明のタッチボタン構造の該タッチボード３はタッチディスプレーである。
【００１０】
本発明のタッチボタン構造の該延伸区１２は金属材質で構成し、該延伸区１２の強度を増し、その長さは該ボタン区１３の長さの０．５倍以上である。
【００１１】
本発明のタッチボタン構造の該回転軸機構１１は回転軸１１１、及び該回転軸１１１と対応する軸カバー１１２により組成する。これにより使用者が指で該ボタン区１３を押すと、該作用板１はこれを軸心として揺動する。
【００１２】
本発明第二実施例の概略図である図３に示すように、本発明第二実施例では電子製品の小型化を追及するため、本発明の延伸区１２中央に貫通した収容設置空間１２１を備える。該収容設置空間１２１により、ディスプレー或いは回路部品などの他の構成部品１２２を収容する。
【００１３】
本発明第三実施例の概略図である図４に示すように、本発明第三実施例では、現行の装置の既存の入力装置と直接統合(或いは置換え)することができる。よって、本発明の延伸区１２及び該回転軸機構１１は共に該ケース４内部に収蔵され、該ボタン区１３は該ケース４の外部に露出し、美観と安全性を高めることができる。
【００１４】
本発明第四実施例の概略図である図５に示すように、本発明第四実施例では、最小体積との前提の下に、より多くのボタン区５１、６１を提供する時、２個のタッチボタン構造５、６を交差設置し、そのボタン区５１、６１を追加する。その構造は上記実施例と相同であるため、詳述しない。但しその差異点は、延伸区５２、６２の交差位置は湾折し、こうして該２個の延伸区５２、６２が相互に接触し阻害し合うことを防止する。
【００１５】
上記のように本発明は使用者にタッチボタン構造を提供する時、明確なプッシュの手応えを備え、これによりプッシュが不確定などの問題を避けることができる。さらにボタンを押す時に均一なプッシュ圧力を備えるため、ボタンプッシュの正確性を向上させることができる。よって、本発明は新規な実用性と進歩的な利益を備え、公知構造の欠点を効果的に改善することができる。
【００１６】
上記に提出する具体的実施例は、本発明の技術内容を説明するために用いるもので、本発明を上記実施例に限定するものではない。本発明の精神と特許請求の範囲を超えない状況において行われる種々の変化もすべて本発明の特許範囲に含まれるものとする。
【図面の簡単な説明】
【００１７】
【図１】本発明実施例の断面概略図である。
【図２】本発明実施例の平面概略図である。
【図３】本発明第二実施例の概略図である。
【図４】本発明第三実施例の概略図である。
【図５】本発明第四実施例の概略図である。
【符号の説明】
【００１８】
１  作用板
１１  回転軸機構
１１１  回転軸
１１２  軸カバー
１２  延伸区
１２１  収容設置空間
１２２  他の構成部品
１３  ボタン区
２  プッシュスイッチ
３  タッチボード
４  ケース
５  タッチボタン構造
５１  ボタン区
５２  延伸区
６  タッチボタン構造
６１  ボタン区
６２  延伸区
【図１】
2009020857.tif 000003
【図２】
2009020857.tif 000004
【図３】
2009020857.tif 000005
【図４】
2009020857.tif 000006
【図５】
2009020857.tif 000007